(57)【要約】【課題】  瞬停時には本体の動作を中断せずに継続可能な電源断処理装置および電源断処理方法を提供すること。【解決手段】  外部電源を本体１０５で使用する電源態様に変換し、外部電源が断たれてもコンデンサに蓄積された電力を本体１０５に供給可能な電源部１０１と、外部電源の電圧を基準電圧と比較し、基準電圧以下のときは制御部１０７に信号を供給する検出部１０３と、外部電源の状態に応じて電源断処理を行う制御部１０７とを備えている。外部電源の電圧が基準電圧以下になったとき、検出部１０３は制御部１０７に信号を供給し、制御部１０７は、電源断処理として本体１０５の動作状態や必要なデータをメモリに書き込む。次に、制御部１０７は、コンデンサによる電力供給ができなくなる前に、検出部１０３から信号が供給されていればプログラムを強制終了し、信号が供給されていなければプログラムを終了せずに正常状態に復帰する。【選択図】    図１
2007075633.tif 000002
【特許請求の範囲】
【請求項１】
外部電源を本体で使用する電源態様に変換する電源手段と、
前記外部電源の電圧低下を検出する電圧低下検出手段と、
前記電圧低下検出手段によって前記外部電源の電圧が基準電圧以下となったことが検出されると電源断処理を行う制御手段と、
前記外部電源が断たれても所定時間中は前記本体に電力を供給可能な蓄電手段と、を備える電源断処理装置。
【請求項２】
前記電圧低下検出手段は、前記外部電源の電圧を前記基準電圧と比較して、前記外部電源の電圧が前記基準電圧以下であるときは前記制御手段に信号を供給し、
前記制御手段は、前記電圧低下検出手段から前記信号が供給されはじめてから前記所定時間が過ぎる前の前記外部電源の状態を検出する際、前記電圧低下検出手段から前記信号が供給されていなければ前記外部電源が正常な状態に回復していると判断することを特徴とする請求項１記載の電源断処理装置。
【請求項３】
前記電源断処理は、必要なデータをバックアップメモリに書き込むデータ退避処理と、前記本体で動作していたプログラムを強制終了するプログラム強制終了処理と、を含み、
前記制御手段は、前記外部電源の電圧が基準電圧以下になると前記データ退避処理をまず行い、前記データ退避処理が終了した直後の前記外部電源の状態が正常な状態であれば、前記プログラム強制終了処理を行わないことを特徴とする請求項１または２記載の電源断処理装置。
【請求項４】
前記外部電源の電圧は実効値であることを特徴とする請求項１、２または３記載の電源断処理装置。
【請求項５】
外部電源を本体で使用する電源態様に変換する電源手段と、前記外部電源の電圧低下を検出する電圧低下検出手段と、前記外部電源が断たれても所定時間中は前記本体に電力を供給可能な蓄電手段とを備えた電源断処理装置を用いた電源断処理方法。
【請求項６】
前記電源断処理は、必要なデータをバックアップメモリに書き込むデータ退避処理と、前記本体で動作していたプログラムを強制終了するプログラム強制終了処理と、を含み、
前記電源断処理開始ステップでは、前記外部電源の電圧が基準電圧以下になると前記データ退避処理をまず行い、
前記状態検出ステップは前記データ退避処理が終了した直後に行われ、
前記状態検出ステップで検出した前記外部電源の状態が正常であれば、前記プログラム強制終了処理を行わないことを特徴とする請求項５記載の電源断処理方法。
【発明の詳細な説明】
【技術分野】
【０００１】
本発明は電源断処理装置および電源断処理方法に係り、特に、停電と瞬停を区別してそれぞれに応じた処理行う電源断処理装置および電源断処理方法に関する。
【背景技術】
【０００２】
パチンコやスロットマシン等の遊技機は、定常的に電力を必要としているにもかかわらず、電源事情が必ずしも良好とはいえない環境に設置されていることが多い。このため、ノイズや電力消費量の変動等によって、遊技機に供給される電源が瞬間的に断たれたり、電源電圧が所定値よりも低下することがある。したがって、遊技機には、電源電圧が所定値以下となったとき動作状態を記憶しておくための不揮発性メモリや電池によってデータを保持可能なメモリが設けられ、また、電源電圧が所定値以下になると動作中のプログラムを強制的に終了するといった機能が搭載されている。
【０００３】
上述したように、電源電圧が低下する原因にはノイズや電力消費量の変動等があるが、最も大きな原因は「停電」や「瞬停」である。停電と瞬停の違いは電源断となる時間の長さであり、瞬停は瞬間的な電源断であるため電源は直ちに復帰する。したがって、「瞬停」であれば電源電圧は直ちに所定値以上まで回復する。
【０００４】
ところで、遊技機の電源回路には、通常、比較的大容量のコンデンサが設けられている。このため、電源断の状態になっても所定時間中はコンデンサから遊技機本体に電力が供給されるため、遊技機は所定時間中であれば動作を継続することができる。したがって、瞬停のように所定時間中に電源が復帰するのであれば、遊技機は上述のようなプログラムの強制終了を行う必要はない。
【特許文献１】特開平８−７９８号公報
【特許文献２】特開２０００−３３４０８８号公報
【特許文献３】特開平８−７１２１６号公報
【特許文献４】特開平１１−２９９９６８号公報
【発明の開示】
【発明が解決しようとする課題】
【０００５】
しかしながら、従来の遊技機では、電源断の原因が停電か瞬停かにかかわらず、電源電圧が所定値以下になるとメモリに動作状態を書き込んでプログラムを強制終了してしまうため、瞬停が起こる度に動作が中断されてしまう。したがって、従来の遊技機にあっては、瞬停が起こる度に遊技機を正常な状態に復帰させなければならないという問題点があった。
【０００６】
本発明は、上記従来の問題点に鑑みてなされたものであって、瞬停時には本体の動作を中断せずに継続可能な電源断処理装置および電源断処理方法を提供することを目的としている。
【課題を解決するための手段】
【０００７】
上記課題を解決するために、本発明の請求項１に係る電源断処理装置は、外部電源を本体で使用する電源態様に変換する電源手段と、前記外部電源の電圧低下を検出する電圧低下検出手段と、前記電圧低下検出手段によって前記外部電源の電圧が基準電圧以下となったことが検出されると電源断処理を行う制御手段と、前記外部電源が断たれても所定時間中は前記本体に電力を供給可能な蓄電手段と、を備え、前記制御手段は、前記電圧低下検出手段によって前記外部電源の電圧が前記基準電圧以下となったことが検出されてから前記所定時間が過ぎる前の前記外部電源の状態に基づいて、前記外部電源が正常な状態に回復していれば前記電源断処理を中止するものである。
【０００８】
また、請求項２に係る電源断処理装置は、請求項１に記載の電源断処理装置において、前記電圧低下検出手段は、前記外部電源の電圧を前記基準電圧と比較して、前記外部電源の電圧が前記基準電圧以下であるときは前記制御手段に信号を供給し、前記制御手段は、前記電圧低下検出手段から前記信号が供給されはじめてから前記所定時間が過ぎる前の前記外部電源の状態を検出する際、前記電圧低下検出手段から前記信号が供給されていなければ前記外部電源が正常な状態に回復していると判断するものである。
【０００９】
また、請求項３に係る電源断処理装置は、請求項１または２に記載の電源断処理装置において、前記電源断処理は、必要なデータをバックアップメモリに書き込むデータ退避処理と、前記本体で動作していたプログラムを強制終了するプログラム強制終了処理と、を含み、前記制御手段は、前記外部電源の電圧が基準電圧以下になると前記データ退避処理をまず行い、前記データ退避処理が終了した直後の前記外部電源の状態が正常な状態であれば、前記プログラム強制終了処理を行わないものである。
【００１０】
また、請求項４に係る電源断処理装置は、請求項１、２または３に記載の電源断処理装置において、前記外部電源の電圧は実効値である。
【００１１】
また、請求項５に係る電源断処理方法は、外部電源を本体で使用する電源態様に変換する電源手段と、前記外部電源の電圧低下を検出する電圧低下検出手段と、前記外部電源が断たれても所定時間中は前記本体に電力を供給可能な蓄電手段とを備えた電源断処理装置を用いた電源断処理方法であって、前記電圧低下検出手段によって前記外部電源の電圧が基準電圧以下となったことが検出されると電源断処理を開始する電源断処理開始ステップと、前記電源断処理開始ステップが開始されてから前記所定時間が過ぎる前に、前記外部電源の状態を検出する状態検出ステップと、を有し、前記状態検出ステップで前記外部電源が正常な状態に回復していれば前記電源断処理を中止するものである。
【００１２】
さらに、請求項６に係る電源断処理方法は、請求項５に記載の電源断処理方法において、前記電源断処理は、必要なデータをバックアップメモリに書き込むデータ退避処理と、前記本体で動作していたプログラムを強制終了するプログラム強制終了処理と、を含み、前記電源断処理開始ステップでは、前記外部電源の電圧が基準電圧以下になると前記データ退避処理をまず行い、前記状態検出ステップは前記データ退避処理が終了した直後に行われ、前記状態検出ステップで検出した前記外部電源の状態が正常であれば、前記プログラム強制終了処理を行わないものである。
【００１３】
本発明の請求項１に係る電源断処理装置および請求項５に係る電源断処理方法では、電源手段において外部電源を本体で使用する電源態様に変換し、電圧低下検出手段において外部電源の電圧低下を検出し、外部電源が断たれても蓄電手段によって所定時間中は本体に電力を供給可能である。特に、制御手段は、電源断処理開始ステップにおいて、電圧低下検出手段によって外部電源の電圧が基準電圧以下となったことが検出されると電源断処理を行い、状態検出ステップにおいて、電圧低下検出手段によって外部電源の電圧が基準電圧以下となったことが検出されてから前記所定時間が過ぎる前の外部電源の状態を検出し、検出された外部電源の状態に基づいて、外部電源が正常な状態に回復していれば電源断処理を中止している。
【００１４】
また、請求項２に係る電源断処理装置では、電圧低下検出手段は、外部電源の電圧を基準電圧と比較して、外部電源の電圧が基準電圧以下であるときは制御手段に信号を供給し、制御手段は、電圧低下検出手段から信号が供給されはじめてから前記所定時間が過ぎる前の外部電源の状態を検出する際、電圧低下検出手段から信号が供給されていなければ外部電源が正常な状態に回復していると判断している。
【００１５】
したがって、ノイズや電力消費量の変動または瞬停等により外部電源が瞬間的に基準電圧以下になっても、蓄電手段が電力を供給可能な所定時間内に外部電源が正常な状態に回復していれば、電源断処理は中止されるため、本体は動作を中断せずにそのまま継続することができる。結果として、瞬停が頻繁に生じるような電源事情の良好でない場所であっても、瞬停が起こる度に正常な状態に復帰させる必要がなくなる。
【００１６】
また、請求項３に係る電源断処理装置および請求項６に係る電源断処理方法では、電源断処理は、必要なデータをバックアップメモリに書き込むデータ退避処理と、本体で動作していたプログラムを強制終了するプログラム強制終了処理とを含んでおり、制御手段は、電源断処理開始ステップにおいて、外部電源の電圧が基準電圧以下になるとデータ退避処理をまず行い、状態検出ステップで検出したデータ退避処理が終了した直後の外部電源の状態が正常であれば、プログラム強制終了処理を行わない。
【００１７】
このように、停電時のように長期わたって電源が供給されない場合にはプログラムが強制終了されるが、瞬停時のように蓄電手段によって電力を供給可能な時間内に外部電源が復帰するような場合にはプログラムは強制終了されないため、本体を継続して動作可能な状態に保つことができる。
【００１８】
さらに、請求項４に係る電源断処理装置では、外部電源の電圧は実効値であることが望ましい。
【発明の効果】
【００１９】
本発明の電源断処理装置および電源断処理方法によれば、電源手段において外部電源を本体で使用する電源態様に変換し、電圧低下検出手段において外部電源の電圧低下を検出し、外部電源が断たれても蓄電手段によって所定時間中は本体に電力を供給可能である。特に、制御手段は、電源断処理開始ステップにおいて、電圧低下検出手段によって外部電源の電圧が基準電圧以下となったことが検出されると電源断処理を行い、状態検出ステップにおいて、電圧低下検出手段によって外部電源の電圧が基準電圧以下となったことが検出されてから前記所定時間が過ぎる前の外部電源の状態を検出し、検出された外部電源の状態に基づいて、外部電源が正常な状態に回復していれば電源断処理を中止している。
【００２０】
したがって、ノイズや電力消費量の変動または瞬停等により外部電源が瞬間的に基準電圧以下になっても、蓄電手段が電力を供給可能な所定時間内に外部電源が正常な状態に回復していれば、電源断処理は中止されるため、本体は動作を中断せずにそのまま継続することができる。結果として、瞬停が頻繁に生じるような電源事情の良好でない場所であっても、瞬停が起こる度に正常な状態に復帰させる必要がなくなる。
【発明を実施するための最良の形態】
【００２１】
以下、本発明の電源断処理装置の実施の形態について、図面を参照して詳細に説明する。なお、本実施形態の電源断処理装置は、パチンコやスロットマシン等の遊技機に設けられているものとして説明する。
図１は、本発明の一実施形態に係る電源断処理装置を有する遊技機を示すブロック構成図である。同図において、本実施形態の電源断処理装置は、特許請求の範囲の電源手段に該当する電源部１０１と、電圧低下検出手段に該当する検出部１０３と、電源部１０１は制御部や機構部等によって構成された遊技機本体（以下、単に本体と称す）１０５内部の制御手段に該当する制御部１０７とを備えて構成されており、電源部１０１は本体１０５に接続されており、検出部１０３は本体１０５内部の制御部１０７に接続されている。
【００２２】
まず、電源部１０１は、商用電源１０９から供給された例えばＡＣ１００Ｖの外部電源を、本体１０５で使用する電源態様（例えば、ＤＣ５Ｖ）に変換するスイッチング電源等の電源回路である。なお、電源部１０１には、特許請求の範囲の蓄電手段に該当する比較的大容量のコンデンサ（図示せず）が設けられており、外部電源（ＡＣ１００Ｖ）が断たれた状態となってもコンデンサに予め蓄積された電力を供給することによって、所定時間（例えば、１００ｍ秒）中は本体１０５に電力を供給することができる。
【００２３】
また、検出部１０３は、電源部１０１に供給されている外部電源の電圧（実効値）を基準電圧と比較し、基準電圧以下のとき本体１０５の制御部１０７に信号を供給するコンパレータ等の電圧比較回路である。なお、制御部１０７に供給される信号の電圧レベルは例えば５Ｖの“Ｈ”レベルであり、外部電源の電圧が基準電圧以下のとき制御部１０７には常に“Ｈ”レベルの電圧が供給される。
【００２４】
制御部１０７は、外部電源の状態に応じて電源断処理を行うものである。より詳しくは、検出部１０３から信号が供給された制御部１０７は、電源断処理として、本体１０５の動作状態や必要なデータを不揮発性メモリや電池によってデータを保持可能なメモリ等のバックアップメモリに書き込む。また、電源部１０１が有するコンデンサによって電力の供給が不可能となる前に外部電源の状態を調べ、この状態に応じて本体１０５で動作していたプログラムを強制的に終了させるか否かを決定する。
【００２５】
以下、本実施形態の電源断処理方法として、停電時および瞬停時における本実施形態の電源断処理装置の動作について図２を参照して説明する。なお、電源部１０１は、外部電源が断たれても内部のコンデンサにより１００ｍ秒間は電力を供給することができるものとする。
【００２６】
同図に示すように、通常は１００Ｖの外部電源の電圧Ｖrmsが基準電圧Ｖref以下になったとき、検出部１０３はこれを検出して制御部１０７に信号を供給する。制御部１０７はこの信号を受けると電源断処理として、本体１０５の動作状態や必要なデータをバックアップメモリに書き込んで退避させる。次に、制御部１０７は、検出部１０３から信号が供給されて６０ｍ秒経ったとき、検出部１０３から信号が供給されていれば本体１０５で動作していたプログラムを強制的に終了(halt)し、既に信号が供給されていなければプログラムを終了せずに正常状態に復帰して、そのまま動作を継続する。なお、復帰した場合の動作の継続は、自動的に行ってもオペレータの操作を介しても良い。
【００２７】
以上説明したように、本実施形態の電源断処理装置および電源断処理方法によれば、ノイズや電力消費量の変動または瞬停等により外部電源が瞬間的に基準電圧以下となっても、電源部１０１内のコンデンサが電力を供給可能な時間内に外部電源が復帰すれば本体１０５は動作を中断せずにそのまま継続することができる。このため、停電時にはプログラムを強制終了し、瞬停時にはプログラムを終了させることなく正常状態に復帰できる。したがって、遊技機を瞬停が頻繁に生じるような電源事情の良好でない場所に設置しても、瞬停が起こる度に遊技機を正常な状態に復帰させる必要がなくなる。
【００２８】
なお、本体１０５の電源スイッチを通常の方法でオフしたとき、必要なデータの保存やプログラムの終了処理は自動的に行われるため、検出部１０３から制御部１０７に信号が供給されたとき電源スイッチの状態を検出するようにしても良い。電源スイッチがオフ状態となっていれば、故意に操作により電源を断たれたと判断し、その場合には、データ保存処理後に外部電源状態を検出する必要もなく、直ちにプログラム終了処理は行うことができる。また、上記実施形態では、電源断処理装置が遊技機に設けられた例について説明したが、遊技機に限らず、ゲーム機やＡＶ装置等の外部電源によって駆動する他の装置にも適用可能である。
【図面の簡単な説明】
【００２９】
【図１】本発明の一実施形態に係る電源断処理装置を有する遊技機を示すブロック構成図である。
【図２】停電時および瞬停時における本発明の一実施形態の電源断処理装置を備えた遊技機の動作を説明する説明図である。
【符号の説明】
【００３０】
１０１  電源部
１０３  検出部
１０５  本体
１０７  制御部
１０９  商用電源
【図１】
2007075633.tif 000003
【図２】
2007075633.tif 000004